(57)【要約】【課題】  補間フレーム画像を生成するための大規模な処理回路を用いることなく動き補償を実現する。【解決手段】  書込制御部は、所定のフレームレートで入力される複数のフレーム画像データを画像メモリへ順に書き込む。動き領域検出部は、前記画像メモリに順に書き込まれる前記フレーム画像データごとに、前記フレーム画像データの表す画像中の動き領域を検出する。読出制御部は、前記画像メモリに書き込まれた前記フレーム画像データごとに、前記フレームレートのｌ倍（ｌは２以上の整数）のレートで前記フレーム画像データをｌ回読み出す。駆動画像データ生成部は、前記画像メモリから順に読み出される読出画像データごとに、前記読出画像データ中の前記動き領域に相当する画像データの少なくとも一部をマスクデータに置き換えて、駆動画像データを生成する。【選択図】        図１
2006133384.tif 000002
【特許請求の範囲】
【請求項１】
画像表示デバイスを駆動するための駆動画像データを生成する画像データ処理装置であって、
画像メモリと、
所定のフレームレートで入力される複数のフレーム画像データを前記画像メモリへ順に書き込む書込制御部と、
前記画像メモリに順に書き込まれる前記フレーム画像データごとに、前記フレーム画像データの表す画像中の動き領域を検出する動き領域検出部と、
前記画像メモリに書き込まれた前記フレーム画像データごとに、前記フレームレートのｌ倍（ｌは２以上の整数）のレートで前記フレーム画像データをｌ回読み出す読出制御部と、
前記画像メモリから順に読み出される読出画像データごとに、前記読出画像データ中の前記動き領域に相当する画像データの少なくとも一部をマスクデータに置き換えて、前記駆動画像データを生成する駆動画像データ生成部と、
を備えることを特徴とする画像データ処理装置。
【請求項２】
請求項１記載の画像データ処理装置であって、
前記マスクデータの表す画素値は、前記動き領域の動き量に応じて決定される所定のパラメータに基づいて、前記マスクデータに置き換えられる画素に対応する前記画像データを演算処理することにより決定されることを特徴とする画像データ処理装置。
【請求項３】
請求項１記載の画像データ処理装置であって、
前記マスクデータの表す画素値は、所定の色の画像を表す画素値であることを特徴とする画像データ処理装置。
【請求項４】
前記所定の色は黒色であることを特徴とする請求項３記載の画像データ処理装置。
【請求項５】
請求項１ないし請求項４のいずれかに記載の画像データ処理装置であって、
前記駆動画像データ生成部は、前記動き領域に相当する画像データのうち、ｍ本（ｍは１以上の整数）の水平ラインごとに、前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項６】
ｍ＝１であることを特徴とする請求項５記載の画像データ処理装置。
【請求項７】
請求項１ないし請求項４のいずれかに記載の画像データ処理装置であって、
前記駆動画像データ生成部は、前記動き領域に相当する画像データのうち、ｎ本（ｎは１以上の整数）の垂直ラインごとに、前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項８】
ｎ＝１であることを特徴とする請求項７記載の画像データ処理装置。
【請求項９】
請求項１ないし請求項４のいずれかに記載の画像データ処理装置であって、
前記駆動画像データ生成部は、前記動き領域に相当する画像データのうち、水平方向にｒ画素（ｒは１以上の整数）で垂直方向にｓ画素（ｓは１以上の整数）のブロック単位で水平方向および垂直方向に前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項１０】
ｒ＝ｓ＝１であることを特徴とする請求項９記載の画像データ処理装置。
【請求項１１】
請求項１ないし請求項４のいずれかに記載の画像データ処理装置であって、
前記駆動画像データ生成部は、検出された前記動き領域の動きの方向および動き量に応じて、生成する駆動画像データ中の前記マスクデータの配置パターンを切り替えることを特徴とする画像データ処理装置。
【請求項１２】
請求項１ないし請求項１１のいずれかに記載の画像データ処理装置と、前記画像表示デバイスとを備える画像表示装置。
【請求項１３】
画像表示デバイスを駆動するための駆動画像データを生成する画像データ処理方法であって、
所定のフレームレートで入力される複数のフレーム画像データを画像メモリへ順に書き込む工程と、
前記画像メモリに順に書き込まれる前記フレーム画像データごとに、前記フレーム画像データの表す画像中の動き領域を検出する工程と、
前記画像メモリに書き込まれた前記フレーム画像データごとに、前記フレームレートのｌ倍（ｌは２以上の整数）のレートで前記フレーム画像データをｌ回読み出す工程と、
前記画像メモリから順に読み出される読出画像データごとに、前記読出画像データ中の前記動き領域に相当する画像データの少なくとも一部をマスクデータに置き換えて、前記駆動画像データを生成する工程と、
を備えることを特徴とする画像データ処理方法。
【発明の詳細な説明】
【技術分野】
【０００１】
この発明は、液晶パネルのようなフラットパネルと呼ばれる画像表示デバイスを用いた画像表示装置において、動画像を表示させる場合における動き補償技術に関する。
【背景技術】
【０００２】
液晶パネルのような画像表示デバイスを用いた画像表示装置は、複数のフレーム画像を所定のフレームレートで順に切り替えることによって動画像を表示している。このため、表示される動画像の動きが間欠的になるという問題がある。
【０００３】
この問題を解決するため、従来から、連続する２つのフレーム画像の間を補間するための補間フレーム画像を生成することにより、滑らかな動画表示を実現する動き補償技術が提案されている(例えば、特許文献１〜３参照)。
【０００４】
【特許文献１】特開平１０−２３３９９６号公報
【特許文献２】特表２００３−５２４９４９号公報
【特許文献３】特開２００３−６９９６１号公報
【発明の開示】
【発明が解決しようとする課題】
【０００５】
しかしながら、上記手法による動き補償を適用する場合、補間フレーム画像を生成するための処理回路としてメモリや演算回路などの種々のディジタル回路を含む非常に大規模な処理回路が必要であった。また、生成した補間フレーム画像の画質も十分なものとは言えない場合があった。
【０００６】
この発明は、従来技術における上述の課題を解決するためになされたものであり、補間フレーム画像を生成するための処理回路としてメモリや演算回路などの種々のディジタル回路を含む非常に大規模な処理回路を用いることなく動き補償を実現する技術を提供することを目的とする。
【課題を解決するための手段】
【０００７】
上記目的の少なくとも一部を達成するために、本発明の画像データ処理装置は、
画像表示デバイスを駆動するための駆動画像データを生成する画像データ処理装置であって、
画像メモリと、
所定のフレームレートで入力される複数のフレーム画像データを前記画像メモリへ順に書き込む書込制御部と、
前記画像メモリに順に書き込まれる前記フレーム画像データごとに、前記フレーム画像データの表す画像中の動き領域を検出する動き領域検出部と、
前記画像メモリに書き込まれた前記フレーム画像データごとに、前記フレームレートのｌ倍（ｌは２以上の整数）のレートで前記フレーム画像データをｌ回読み出す読出制御部と、
前記画像メモリから順に読み出される読出画像データごとに、前記読出画像データ中の前記動き領域に相当する画像データの少なくとも一部をマスクデータに置き換えて、前記駆動画像データを生成する駆動画像データ生成部と、
を備えることを特徴とする。
【０００８】
上記画像データ処理装置によれば、読出画像データ中の動き領域に相当する画像データの少なくとも一部をマスクデータに置き換えることにより、人間の視覚上の性質を利用して動き領域の動きを補償することができるので、従来のような補間フレーム画像を生成するための大規模なディジタル回路を省略することが可能である。
【０００９】
ここで、前記マスクデータの表す画素値は、前記動き領域の動き量に応じて決定される所定のパラメータに基づいて、前記マスクデータに置き換えられる画素に対応する前記画像データを演算処理することにより決定することができる。こうすれば、動き領域の画像の輝度の減衰を抑制しつつ、動き補償を効果的に行うことができる。
【００１０】
なお、前記マスクデータの表す画素値は、所定の色の画像を表す画素値としても構わない。特に、前記所定の色を黒色とすれば、動き補償の効果が最も高くなる。
【００１１】
上記画像データ処理装置において、前記駆動画像データ生成部は、前記動き領域に相当する画像データのうち、ｍ本（ｍは１以上の整数）の水平ラインごとに、前記読出画像データと前記マスクデータとが交互に配置された駆動画像データであって、前記読出画像データと前記マスクデータとの配置順が互いに異なる第１と第２の駆動画像データを生成することが好ましい。
【００１２】
上記のようにすれば、垂直方向の移動を含む動画像に対して、効果的に動き補償を行うことができる。特に、ｍ＝１とすれば、最も効果的である。
【００１３】
上記画像データ処理装置において、前記駆動画像データ生成部は、前記動き領域に相当する画像データのうち、ｎ本（ｎは１以上の整数）の垂直ラインごとに、前記読出画像データと前記マスクデータとが交互に配置された駆動画像データであって、前記読出画像データと前記マスクデータとの配置順が互いに異なる第１と第２の駆動画像データを生成することも好ましい。
【００１４】
上記のようにすれば、水平方向の移動を含む動画像に対して、効果的に動き補償を行うことができる。特に、ｎ＝１とすれば、最も効果的である。
【００１５】
上記画像データ処理装置において、前記駆動画像データ生成部は、前記動き領域に相当する画像データのうち、水平方向にｒ画素（ｒは１以上の整数）で垂直方向にｓ画素（ｓは１以上の整数）のブロック単位で水平方向および垂直方向に前記読出画像データと前記マスクデータとが交互に配置された駆動画像データであって、前記読出画像データと前記マスクデータとの配置順が互いに異なる第１と第２の駆動画像データを生成することも好ましい。
【００１６】
上記のようにすれば、水平方向および垂直方向の移動を含む動画像に対して、効果的に動き補償を行うことができる。特に、ｒ＝ｓ＝１とすれば、最も効果的である。
【００１７】
上記画像データ処理装置において、前記駆動画像データ生成部は、検出された前記動き領域の動きの方向および動き量に応じて、生成する駆動画像データ中の前記マスクデータの配置パターンを切り替えるようにしてもよい。
【００１８】
上記のようにすれば、表示したい動画像の動きに適した動き補償を行うことができる。
【００１９】
また、上記いずれかの画像データ処理装置により、前記画像表示デバイスを備える画像表示装置を構成することができる。
【００２０】
なお、本発明は、上記した画像データ処理装置や画像表示システムなどの装置発明の態様に限ることなく、画像データ処理方法などの方法発明としての態様で実現することも可能である。さらに、方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００２１】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ／ＲＡＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２２】
以下、本発明の実施の形態を実施例に基づいて以下の順序で説明する。
Ａ．実施例：
Ａ１．画像表示装置の全体構成：
Ａ２．動き領域検出部の構成および動作：
Ａ３．駆動画像データ生成部の構成および動作：
Ａ４．実施例の効果：
Ａ５．駆動画像データの変形例：
Ｂ．変形例：
【００２３】
Ａ．実施例：
Ａ１．画像表示装置の全体構成：
図１は、この発明の一実施例としての画像データ処理装置を適用した画像表示装置の構成を示すブロック図である。この画像表示装置ＤＰ１は、画像データ処理装置としての信号変換部１０と、フレームメモリ２０と、メモリ書込制御部３０と、メモリ読出制御部４０と、駆動画像データ生成部５０と、動き領域検出部６０と、液晶パネル駆動部７０と、ＣＰＵ８０と、メモリ９０と、画像表示デバイスとしての液晶パネル１００と、を備えるコンピュータシステムである。なお、この画像表示装置ＤＰ１は、一般的なコンピュータシステムに備える外部記憶装置やインタフェース等の種々の周辺装置を備えているが、ここでは図示を省略している。
【００２４】
また、画像表示装置ＤＰ１はプロジェクタであり、光源ユニット１１０から射出された照明光を、液晶パネル１００によって画像を表す光（画像光）に変換し、この画像光を投写光学系１２０を用いて投写スクリーンＳＣ上で結像させることにより、投写スクリーンＳＣ上に画像を投写する。なお、液晶パネル駆動部７０は、画像データ処理装置ではなく、液晶パネル１００とともに画像表示デバイスに含まれるブロックとみることもできる。
【００２５】
ＣＰＵ８０は、メモリ９０に記憶されている制御プログラムや処理の条件を読み込んで実行することにより、各ブロックの動作を制御する。
【００２６】
信号変換部１０は、外部から入力される映像信号を、メモリ書込制御部３０で処理可能な信号に変換するための処理回路である。例えば、アナログの映像信号の場合には、映像信号に含まれている同期信号に同期して、ディジタルの映像信号に変換する。また、ディジタルの映像信号の場合には、その信号の種類に応じて、メモリ書込制御部３０で処理可能な形式の信号に変換する。
【００２７】
メモリ書込制御部３０は、信号変換部１０から出力されたディジタルの映像信号に含まれている各フレームの画像データを、その映像信号に対応する書き込み用の同期信号ＷＳＮＫに同期して、順にフレームメモリ２０に書き込む。なお、書込用同期信号ＷＳＮＫには、書込垂直同期信号や書込水平同期信号、書込クロック信号が含まれている。
【００２８】
メモリ読出制御部４０は、ＣＰＵ８０を介してメモリ９０から与えられる読出制御条件に基づいて読み出し用の同期信号ＲＳＮＫを生成するとともに、この読出同期信号ＲＳＮＫに同期して、フレームメモリ２０に記憶された画像データを読み出す。そして、メモリ読出制御部４０は、読出画像データ信号ＲＶＤＳおよび読出同期信号ＲＳＮＫを駆動画像データ生成部５０に向けて出力する。なお、読出同期信号ＲＳＮＫには、読出垂直同期信号や読出水平同期信号、読出クロック信号が含まれている。また、読出垂直同期信号の周期は、フレームメモリ２０に書き込まれる映像信号の書込垂直同期信号の周波数（フレームレート）の２倍に設定されており、メモリ読出制御部４０は、フレームメモリ２０に記憶された画像データを、１フレーム周期の間に２回読み出して、駆動画像データ生成部５０に向けて出力する。
【００２９】
駆動画像データ生成部５０は、メモリ読出制御部４０から供給される読出画像データ信号ＲＶＤＳおよび読出同期信号ＲＳＮＫと、動き領域検出部６０から供給される動き領域データ信号ＭＡＳおよびマスクパラメータ信号ＭＰＳとに基づいて、液晶パネル駆動部７０を介して液晶パネル１００を駆動するための駆動画像データ信号ＤＶＤＳを生成し、生成した駆動画像データ信号ＤＶＤＳを液晶パネル駆動部７０に向けて出力する。なお、駆動画像データ生成部５０の構成および動作についてはさらに後述する。
【００３０】
動き領域検出部６０は、フレームメモリ２０に順次書き込まれる各フレームの画像データ（以下、「フレーム画像データ」とも呼ぶ）を検出対象とし、このときフレームメモリ２０から読み出されるひとつ前のフレーム画像データに相当する読出画像データに対する動き領域を検出し、動き領域データ信号ＭＡＳを駆動画像データ生成部５０に向けて出力する。また、検出した動き領域の動き量に応じて決定されるマスクパラメータ信号ＭＰＳを駆動画像データ生成部５０に向けて出力する。なお、動き領域検出部６０の構成および動作についてはさらに後述する。
【００３１】
液晶パネル駆動部７０は、駆動画像データ生成部５０から供給された駆動画像データ信号ＤＶＤＳを液晶パネル１００に供給可能な信号に変換して液晶パネル１００に供給する。
【００３２】
液晶パネル１００は、供給された駆動画像データ信号に対応する画像を表す画像光を射出する。これにより、上記したように、液晶パネル１００から射出された画像光の表す画像が投写スクリーンＳＣ上に投写表示される。
【００３３】
Ａ２．動き領域検出部の構成および動作：
図２は、動き領域検出部６０の構成の一例を示す概略ブロック図である。動き領域検出部６０は、動き量検出部６２と、動き領域決定部６４と、マスクパラメータ決定部６６と、を備えている。
【００３４】
動き量検出部６２は、フレームメモリ２０に書き込まれるフレーム画像データ（対象データ）ＷＶＤＳおよびフレームメモリ２０から読出されるフレーム画像データ(基準データ)ＲＶＤＳを、ｐ×ｑ画素（ｐ，ｑは２以上の整数）の矩形の画素ブロックに分割するとともに、各ブロックについて、それぞれ、２つのフレーム間での動きベクトルを求めることにより、その動きベクトルの大きさを各ブロックの動き量として求めることができる。なお、動きベクトルを求める手法は、種々の一般的な方法を用いることができるので、ここではその具体的な説明を省略する。求めた動き量は、動き量データＱＭＤとして動き領域決定部６４およびマスクパラメータ決定部６６に供給される。
【００３５】
動き領域決定部６４は、各ブロックについて、動き量が所定量以上である場合には動きありと判定し、所定量以下である場合には動きなしと判定することにより動き領域を決定する。決定した動き領域データは、動き領域データ信号ＭＡＳとして駆動画像データ生成部５０に向けて出力される。
【００３６】
マスクパラメータ決定部６６は、動き領域決定部６４で動きありと判定された領域について、動き量検出部６２から供給された動き量データＱＭＤの示す動き量に応じたマスクパラメータＭＰの値を求める。求めたマスクパラメータＭＰの値を示すデータは、マスクパラメータ信号ＭＰＳとして駆動画像データ生成部５０に向けて出力される。
【００３７】
マスクパラメータ決定部６６には、あらかじめ、画像の動き量を正規化したものとこれに対応するマスクパラメータの値との関係を示すテーブルデータが、ＣＰＵ８０によってメモリ９０から読み出されて供給されることにより格納されている。これにより、マスクパラメータ決定部６６では、このテーブルデータを参照して、供給された動き量データＱＭＤの示す動き量に応じたマスクパラメータＭＰの値が求められる。なお、ここでは、テーブルデータを用いた場合を例として説明したが、近似式とした多項式による関数演算を用いるようにしてもよい。
【００３８】
図３は、マスクパラメータ決定部６６に格納されているテーブルデータについて示す説明図である。このテーブルデータは、図３に示すように、動き量Ｖｍに対するマスクパラメータＭＰの値（０〜１）の特性を示すものである。動き量Ｖｍは、フレーム単位で移動する画素数、すなわち、単位を［ｐｉｘｅｌ／ｆｒａｍｅ］とする移動速度で表されている。この動き量Ｖｍが大きいほど、画像の動きが激しくなるため、動画像の滑らかさが損なわれると考えられる。そこで、このテーブルデータは、動き量Ｖｍが判定基準値Ｖｌｍｔ以下の場合には、動きなしと判定され、マスクパラメータＭＰの値は１に設定される。また、動き量Ｖｍが判定値基準値Ｖｌｍｔ以上の場合には、動きあり判定され、マスクパラメータＭＰの値は、０〜１の範囲で、動き量Ｖｍが大きいほど０に近くなり、動き量Ｖｍが小さいほど１に近くなるように設定されている。
【００３９】
Ａ３．駆動画像データ生成部の構成および動作：
図４は、駆動画像データ生成部５０の構成の一例を示す概略ブロック図である。駆動画像データ生成部５０は、駆動画像データ生成制御部５１０と、第１のラッチ部５２０と、マスクデータ生成部５３０と、第２のラッチ部５４０と、マルチプレクサ（ＭＰＸ）５５０と、を備えている。
【００４０】
駆動画像データ生成制御部５１０は、メモリ読出制御部４０から供給された読出同期信号ＲＳＮＫに含まれている読出垂直同期信号ＶＳ、読出水平同期信号ＨＳ、読出クロックＤＣＫ、および、フィールド選択信号ＦＩＥＬＤと、動き領域検出部６０から供給された動き領域データ信号ＭＡＳと、に基づいて、第１のラッチ部５２０および第２のラッチ部５４０の動作を制御するラッチ信号ＬＴＳと、マルチプレクサ５５０の動作を制御する選択制御信号ＭＸＳと、マスクデータ生成部５３０の動作を制御するイネーブル信号ＭＥＳとを出力して、駆動画像データ信号ＤＶＤＳの生成を制御する。なお、フィールド選択信号ＦＩＥＬＤは、フレームメモリ２０から２倍速で読出された読出画像データ信号ＲＶＤＳが、第１フィールドの読出画像データ信号であるか第２フィールドの読出画像データ信号であるか区別するための信号である。
【００４１】
第１のラッチ部５２０は、メモリ読出制御部４０から供給された読出画像データ信号ＲＶＤＳを、駆動画像データ生成制御部５１０から供給されたラッチ信号ＬＴＳに従って順次ラッチし、ラッチ後の読出画像データを読出画像データ信号ＲＶＤＳ１としてマスクデータ生成部５３０および第２のラッチ部５４０に出力する。
【００４２】
マスクデータ生成部５３０は、駆動画像データ生成制御部５１０から供給されたイネーブル信号ＭＥＳによりマスクデータの生成が許可されている場合において、動き領域検出部６０から供給されたマスクパラメータ信号ＭＰＳと、第１のラッチ部５２０から供給された読出画像データ信号ＲＶＤＳ１とに基づいて、各画素の読出画像データの表す画素値に応じた画素値を表すマスクデータを生成し、生成したマスクデータをマスクデータ信号ＭＤＳ１として第２のラッチ部５４０に出力する。なお、イネーブル信号ＭＥＳは、検出された動き領域に対応する読出画像データに対してのみ、マスクデータの生成を許可する信号であり、読出垂直同期信号ＶＳと、読出水平同期信号ＨＳと、読出クロックＤＣＫと、動き領域データ信号ＭＡＳとに基づいて生成される。
【００４３】
図５は、マスクデータ生成部５３０の構成の一例を示す概略ブロック図である。マスクデータ生成部５３０は、演算部５３２と、演算選択部５３４と、マスクパラメータ記憶部５３６と、を備えている。
【００４４】
演算選択部５３４は、あらかじめ設定されてメモリ９０に格納されているマスクデータ生成条件をＣＰＵ８０からの指示により受け取って、受け取ったマスクデータ生成条件に対応する演算を演算部５３２に選択設定する。演算部５３２で実行される演算としては、例えば乗算、ビットシフト演算等の種々の演算が利用可能であり、本実施例では、演算部５３２で実行される演算として乗算（Ｃ＝Ａ＊Ｂ）が選択設定されていることととする。
【００４５】
マスクパラメータ記憶部５３６は、動き領域検出部６０から供給されたマスクパラメータ信号ＭＰＳの表すマスクパラメータＭＰの値を記憶する。マスクパラメータ記憶部５３６に記憶されているマスクパラメータＭＰの値は、演算部５３２の演算パラメータＢの値として、演算部５３２に供給される。
【００４６】
演算部５３２は、入力される読出画像データ信号ＲＶＤＳ１中の読出画像データを演算パラメータＡとし、マスクパラメータ記憶部５３６から供給されるマスクパラメータＭＰを演算パラメータＢとし、演算選択部５３４によって選択された演算（Ａ？Ｂ：？は選択された演算を示す演算子）を、イネーブル信号ＭＥＳにより演算が許可されている場合において実行する。そして、その演算結果Ｃ（＝Ａ？Ｂ）であるマスクデータをマスクデータ信号ＭＤＳ１として出力する。これにより、入力された読出画像データＲＶＤＳ１の表す画像の、動き領域中の各画素に対して、動き領域の動き量に応じたマスクデータが、各画素の読出画像データに基づいて生成される。
【００４７】
例えば、上記したように、演算部５３２で実行される演算として乗算（Ｃ＝Ａ＊Ｂ）が選択設定されており、マスクパラメータ記憶部５３６にマスクパラメータＭＰの値として「０．３」が演算パラメータＢとして設定されていたとする。このとき、演算パラメータＡとして入力される読出画像データ信号ＲＶＤＳ１中の読出画像データの値が「００ｈ」、「３２ｈ」、「ＦＦｈ」であるとすると、演算部５３２は、それぞれ、「００ｈ」、「０Ｆｈ」、「４Ｃｈ」の値を有するマスクデータをマスクデータ信号ＭＤＳ１として出力する。
【００４８】
なお、本例では、演算部５３２で実行される演算として乗算が選択設定されており、マスクパラメータＭＰの値として、図３に示したように、０〜１の範囲の値が設定される場合を例に説明したが、上記したように、例えば、ビットシフト演算が選択されている場合には、マスクパラメータ決定部６６（図２）で決定されるマスクパラメータＭＰの値はビットシフト量となり、マスクパラメータ決定部６６（図２）に設定されるテーブルデータや関数もこれに応じたものとなる。すなわち、マスクパラメータ決定部６６で決定されるマスクパラメータＭＰの値は、演算部５３２で実行される演算に応じたものとなる。
【００４９】
図４の第２のラッチ部５４０は、第１のラッチ部５２０から出力された読出画像データ信号ＲＶＤＳ１およびマスクデータ生成部５３０から出力されたマスクデータ信号ＭＤＳ１を、ラッチ信号ＬＴＳに従って順次ラッチし、ラッチ後の読出画像データを読出画像データ信号ＲＶＤＳ２として、また、ラッチ後のマスクデータをマスクデータ信号ＭＤＳ２としてマルチプレクサ５５０に出力する。
【００５０】
マルチプレクサ５５０は、読出画像データ信号ＲＶＤＳ２とマスクデータ信号ＭＤＳ２の一方を、駆動画像データ生成制御部５１０から出力される選択制御信号ＭＸＳに従って選択することによって、駆動画像データ信号ＤＶＤＳを生成し、液晶パネル駆動部７０に出力する。
【００５１】
選択制御信号ＭＸＳは、読出画像データ中の検出された動き領域において、読出画像データに置き換えて配置されるマスクデータのパターンが所定のマスクパターンとなるように、フィールド信号ＦＩＥＬＤと、読出垂直同期信号ＶＳと、読出水平同期信号ＨＳと、読出クロックＤＣＫと、動き領域データ信号ＭＡＳとに基づいて生成される。
【００５２】
図６は、生成される駆動画像データについて示す説明図である。図６（ａ）に示すように、各フレームのフレーム画像データは、一定の周期（フレーム周期）Ｔｆｒの間にメモリ書込制御部３０（図１）によって、フレームメモリ２０に格納される。図６（ａ）は、Ｎフレーム（Ｎは１以上の整数）のフレーム画像データＦＲ（Ｎ）と、（Ｎ＋１）フレームのフレーム画像データＦＲ（Ｎ＋１）が順にフレームメモリ２０に格納される場合を例に示している。
【００５３】
また、図６（ｂ）に示すように、動き領域検出部６０（図２）によって、フレームメモリ２０に格納されるフレーム画像データ（図６（ａ））のうち、１フレーム前のフレーム画像データに対して動きありと判定された領域（動き領域）が検出される。なお、図６中の点線で示された各格子領域は、動き領域検出部６０の動き量検出部６２において実行される動きベクトルの検出の単位であるｐ×ｑ画素のブロックを示している。
【００５４】
そして、図６（ｃ）に示すように、メモリ読出制御部４０（図１）によって、フレームメモリ２０に格納されているフレーム画像データが、フレーム周期Ｔｆｒの２倍速の周期（フィールド周期）Ｔｆｉで２回読み出されて、第１フィールドに対応する読出画像データＦＩ１および第２フィールドに対応する読出画像データＦＩ２として順に出力される。図６（ｃ）は、Ｎフレームにおける第１フィールドの読出画像データＦＩ１（Ｎ）および第２フィールドの読出画像データＦＩ２（Ｎ）と、（Ｎ＋１）フレームにおける第１フィールドの読出画像データＦＩ１（Ｎ＋１）および第２フィールドの読出画像データＦＩ２（Ｎ＋１）が順に出力される場合が例示されている。
【００５５】
そして、図６（ｄ）に示すように、駆動画像データ生成部５０（図４）では、マスクデータ生成部５３０における演算処理と、マルチプレクサ５５０における選択処理とによって、読出画像データ中の図６（ｂ）に示した動き領域（図中破線で囲まれた領域）の一部が、マスクデータ生成部５３０で生成されたマスクデータに置き換えられて、第１フィールドの読出画像データＦＩ１に対応する第１の駆動画像データＤＦＩ１と、第２フィールドの読出画像データＦＩ２に対応する第２の駆動画像データＤＦＩ２とが生成される。
【００５６】
図７は、Ｎフレームのフレーム画像データＦＲ（Ｎ）に対して生成される第１の駆動画像データＤＦＩ１（Ｎ）および第２の駆動画像データＤＦＩ２（Ｎ）中の動き領域を拡大して示す説明図である。また、図８は、（Ｎ＋１）フレームのフレーム画像データＦＲ（Ｎ＋１）に対して生成される第１の駆動画像データＤＦＩ１（Ｎ＋１）および第２の駆動画像データＤＦＩ２（Ｎ＋１）中の動き領域を拡大して示す説明図である。なお、図中の細い破線による各格子領域は、動きベクトルを求める単位であるｐ×ｑ画素のブロックであり、説明および図示の便宜上ｐおよびｑを４画素として示している。また、太い破線により囲まれた領域は検出された動き領域を示している。
【００５７】
Ｎフレームにおける第１フィールドの読出画像データＦＩ１（Ｎ）に対しては、図７（ａ）に示すように、偶数番目の水平ラインがマスクデータ（クロスハッチで示される領域）に置き換えられて第１の駆動画像データＤＦＩ１（Ｎ）が生成される。また、第２フィールドの読出画像データＦＩ２（Ｎ）に対しては、図７（ｂ）に示すように、奇数番目の水平ラインがマスクデータに置き換えられて第２の駆動画像データＤＦＩ２（Ｎ）が生成される。
【００５８】
同様に、（Ｎ＋１）フレームにおける第１フィールドの読出画像データＦＩ１（Ｎ＋１）に対しては、図８（ａ）に示すように、偶数番目の水平ラインがマスクデータに置き換えられて第１の駆動画像データＤＦＩ１（Ｎ＋１）が生成される。また、第２フィールドの読出画像データＦＩ２（Ｎ＋１）に対しては、図８（ｂ）に示すように、奇数番目の水平ラインがマスクデータに置き換えられて第２の駆動画像データＤＦＩ２（Ｎ＋１）が生成される。
【００５９】
なお、図７および図８では、第１の駆動画像データＤＦＩ１で偶数番目の水平ラインがマスクデータに置き換えられており、第２の駆動画像データＤＦＩ２で奇数番目の水平ラインがマスクデータに置き換えられているが、第１の駆動画像データＤＦＩ１と第２の駆動画像データＤＦＩ２とが逆であってもよい。
【００６０】
また、図７および図８に示した駆動画像データの表す画像は、説明を容易にするために１フレームの画像を水平方向に１６ブロックで垂直方向に１２ブロック、すなわち、水平方向に６４画素（垂直６４ラインに相当）で垂直方向に４８画素（水平４８ラインに相当）の画像としているため、離散した画像に見えるが、実際の画像は、数百本以上の水平および垂直ラインを有しているので、水平１ラインおきにマスクデータが配置されたとしても、画像の明るさは減衰するものの、人間の視覚上ほとんど目立たない。
【００６１】
Ａ４．実施例の効果：
以上説明したように、本実施例の駆動画像データ生成部５０では、１フレームの画像データが第１フィールドと第２フィールドの画像データとして読み出され、第１フィールドの読出画像データに対しては、動き領域に対応する読出画像データのうち、偶数番目の水平ラインに対応する読出画像データがマスクデータに置き換えられて第１の駆動画像データ信号が生成される。また、第２フィールドの読出画像データに対しては、動き領域に対応する読出画像データのうち、奇数番目の水平ラインに対応する読出画像データがマスクデータに置き換えられて第２の駆動画像データ信号が生成される。これにより、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。
【００６２】
なお、第１の駆動画像データＤＦＩ１で奇数番目の水平ラインがマスクデータに置き換えられており、第２の駆動画像データＤＦＩ２で偶数番目の水平ラインがマスクデータに置き換えられている場合においても、同様である。
【００６３】
Ａ５．駆動画像データの変形例：
Ａ５．１．変形例１：
上記実施例では、図７および図８に示すように、１本の水平ラインごとに読出画像データとマスクデータとが交互に配置される場合を例に示しているが、ｍ本（ｍは１以上の整数）の水平ラインごとに、前記読出画像データと前記マスクデータとが交互に配置されるようにしてもよい。この場合においても、実施例と同様に、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。
【００６４】
Ａ５．２．変形例２：
図９は、生成される駆動画像データの第２の変形例について示す説明図である。図６と同様に、図９は、Ｎフレームの第１フィールドの読出画像データＦＩ１（Ｎ）および第２フィールドの読出画像データＦＩ２（Ｎ）に対して生成される第１の駆動画像データＤＦＩ１（Ｎ）および第２の駆動画像データＤＦＩ２（Ｎ）中の動き領域を拡大して示す説明図である。
【００６５】
第２の変形例における駆動画像データ生成部では、第１フィールドの読出画像データＦＩ１に対しては、図９（ａ）に示すように、偶数番目の垂直ラインを形成する各画素がマスクデータ（クロスハッチで示される領域）に置き換えられて第１の駆動画像データＤＦＩ１（Ｎ）が生成される。また、第２フィールドの読出画像データＦＩ２に対しては、図９（ｂ）に示すように、奇数番目の垂直ラインを形成する各画素がマスクデータに置き換えられた第２の駆動画像データＤＦＩ２（Ｎ）が生成される。
【００６６】
以上説明したように、本変形例の場合、駆動画像データ生成部では、第１フィールドの読出画像データに対しては、動き領域に対応する読出画像データのうち、各水平ラインの画像データの偶数番目の画素（すなわち、偶数番目の垂直ライン）に対応する読出画像データがマスクデータに置き換えられて第１の駆動画像データ信号ＤＦＩ１が生成される。また、第２フィールドの読出画像データに対しては、動き領域に対応する読出画像データのうち、各水平ラインの画像データの奇数番目の画素（すなわち、奇数番目の垂直ライン）に対応する読出画像データがマスクデータに置き換えられて第２の駆動画像データＤＦＩ２が生成される。これにより、本変形例においても、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。
【００６７】
特に、本変形例のように垂直ラインを形成する画素に対する読出画像データがマスクデータに置き換えられる場合には、実施例のように水平ラインに対する読出画像データがマスクデータに置き換えられる場合に比べて、水平方向への移動を含む動きの補償に、より効果的である。ただし、垂直方向の移動を含む動きの補償は実施例の方が効果的である。
【００６８】
なお、図９では、第１の駆動画像データＤＦＩ１で偶数番目の垂直ラインがマスクデータに置き換えられており、第２の駆動画像データＤＦＩ２で奇数番目の垂直ラインがマスクデータに置き換えられているが、第１の駆動画像データＤＦＩ１と第２の駆動画像データＤＦＩ２とでマスクデータの置き換え位置が逆であっても同様である。
【００６９】
Ａ５．３．変形例３：
なお、図９は、１本の垂直ラインごとに読出画像データとマスクデータとが交互に配置される場合を例に示しているが、ｎ本（ｎは１以上の整数）の垂直ラインごとに、前記読出画像データと前記マスクデータとが交互に配置されるようにしてもよい。この場合においても、変形例２と同様に、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。特に、水平方向への移動を含む動きの補償により効果的である。
【００７０】
Ａ５．４．変形例４：
図１０は、生成される駆動画像データの第４の変形例について示す説明図である。図６と同様に、図１０は、Ｎフレームの第１フィールドの読出画像データＦＩ１（Ｎ）および第２フィールドの読出画像データＦＩ２（Ｎ）に対して生成される第１の駆動画像データＤＦＩ１（Ｎ）および第２の駆動画像データＤＦＩ２（Ｎ）中の動き領域を拡大して示す説明図である。
【００７１】
第４の変形例における駆動画像データ生成部では、第１フィールドの読出画像データＦＩ１に対しては、図１０（ａ）に示すように、水平方向および垂直方向に並ぶ画素の１画素ごとに、マスクデータ（クロスハッチで示される領域）と読出画像データが交互に配置されて第１の駆動画像データＤＦＩ１（Ｎ）が生成される。また、第２フィールドの読出画像データＦＩ２に対しても、図１０（ｂ）に示すように、水平方向および垂直方向に並ぶ画素の１画素ごとに、マスクデータ（クロスハッチで示される領域）と読出画像データが交互に配置されて第２の駆動画像データＤＦＩ２（Ｎ）が生成される。ただし、第１の駆動画像データと第２の駆動画像データとは、マスクデータと読出画像データの配置位置が互いに反対である。なお、図１０の例では、第１の駆動画像データＤＦＩ１（Ｎ）は、奇数番目の水平ラインにおける偶数番目の画素と偶数番目の水平ラインにおける奇数番目の画素とがマスクデータとされており、第２の駆動画像データＤＦＩ２（Ｎ）は、奇数番目の水平ラインにおける奇数番目の画素と偶数番目の水平ラインにおける偶数番目の画素とがマスクデータとされている。
【００７２】
以上説明したように、本変形例の場合、駆動画像データ生成部では、第１フィールドの読出画像データに対しては、動き領域に対応する読出画像データのうち、奇数番目の水平ラインにおける偶数番目の画素および偶数番目の水平ラインにおける奇数番目の画素に対応する読出画像データがマスクデータに置き換えられて第１の駆動画像データＤＦＩ１が生成される。また、第２フィールドの読出画像データに対しては、動き領域に対応する読出画像データのうち、奇数番目の水平ラインにおける奇数番目の画素および偶数番目の水平ラインにおける偶数番目の画素に対応する読出画像データがマスクデータに置き換えられて第２の駆動画像データＤＦＩ２が生成される。これにより、本変形例においても、実施例と同様に、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。
【００７３】
特に、本変形例のように、チェッカフラグ状にマスクデータが配置される場合には、実施例のように垂直方向の移動を含む動きの補償効果と、第２の変形例のように水平方向の移動を含む動きの補償効果の両方を得ることが可能である。
【００７４】
なお、図１０では、第１の駆動画像データＤＦＩ１は、奇数番目の水平ラインにおける偶数番目の画素と偶数番目の水平ラインにおける奇数番目の画素とがマスクデータとされており、第２の駆動画像データＤＦＩ２は、奇数番目の水平ラインにおける奇数番目の画素と偶数番目の水平ラインにおける偶数番目の画素とがマスクデータとされているが、第１の駆動画像データＤＦＩ１と第２の駆動画像データＤＦＩ２とが逆であっても同様である。
【００７５】
Ａ５．５．変形例５：
なお、図１０は、１画素単位で水平方向および垂直方向に読出画像データとマスクデータとが交互に配置される場合を例に示しているが、水平方向にｒ画素（ｒは１以上の整数）で垂直方向にｓ画素（ｓは１以上の整数）のブロック単位で水平方向および垂直方向に読出画像データとマスクデータとが交互に配置されるようにしてもよい。この場合においても、変形例４と同様に、動き領域以外の領域は、従来通りのコントラストや画質を維持するとともに、動き領域に対しては、２つのフィールドの間を人間の視覚上の性質を利用して実効的に補間することができるので、滑らかな動きとなるように補償することができる。また、動き領域に対する人間の視覚による残像現象を軽減して滑らかな動きとなるように補償することもできる。さらに、また、動き領域に対する人間の視覚による残像現象に起因して発生する色バランスの乱れを抑制して優れた色バランスとなるように補償することもできる。特に、水平方向への移動を含む動きの補償により効果的である。
【００７６】
Ａ５．６．変形例６：
図１１は、生成される駆動画像データの第６の変形例について示す説明図である。
【００７７】
上記実施例および第１ないし第５の変形例では、フレームメモリ２０から１フレームの画像データをフレーム周期Ｔｆｒの間に２倍速のフィールド周期Ｔｆｉで２回読み出して、２つのフィールド画像データにより１つのフレーム画像データを表す場合を例に説明している。しかしながら、これに限定されるものではなく、図１１に示すように、１フレームの画像データをフレーム周期の間で３回以上読み出すようにして、駆動画像データを生成するようにしてもよい。
【００７８】
図１１（ｃ）は、フレームメモリ２０に格納されている画像データが、各フレーム周期の間に３倍速のフィールド周期で３回読み出されて順に出力される場合を例に示している。また、Ｎフレームのフレーム画像データＦＲ（Ｎ）に対してフレームメモリ２０から読み出された３つのフレーム画像データのうち、１番目および３番目の読出画像データが第１フィールドの読出画像データＦＩ１（Ｎ）とされ、２番目の画像データが第２フィールドの読出画像データＦＩ２（Ｎ）とされる。そして、図１１（ｄ）に示すように、第１フィールドの読出画像データＦＩ１（Ｎ）に対して第１の駆動画像データＤＦＩ１（Ｎ）が生成され、第２フィールドの読出画像データＦＩ２（Ｎ）に対して第２の駆動画像データＤＦＩ２（Ｎ）が生成される。
【００７９】
また、図１１（ｃ）に示すように、（Ｎ＋１）フレームのフレーム画像データＦＲ（Ｎ＋１）に対して読み出された３つの画像データのうち、１番目および３番目の画像データが第２フィールドの読出画像データＦＩ２（Ｎ＋１）とされ、２番目の画像データが第１フィールドの読出画像データＦＩ１（Ｎ＋１）とされる。そして、図１１（ｄ）に示すように、第１フィールドの読出画像データＦＩ１（Ｎ＋１）に対して第１の駆動画像データＤＦＩ１（Ｎ＋１）が生成され、第２フィールドの読出画像データＦＩ２（Ｎ＋１）に対して第２の駆動画像データＤＦＩ１（Ｎ＋１）が生成される。
【００８０】
ここで、Ｎフレームのフレーム周期における１番目の読出画像データは第１フィールドの読出画像データＦＩ１（Ｎ）であり、２番目の読出画像データは第２フィールドの読出画像データＦＩ２（Ｎ）であるので、これら２つの読出画像データに対応する第１の駆動画像データＤＦＩ１（Ｎ）および第２の駆動画像データＤＦＩ２（Ｎ）により、Ｎフレームのフレーム画像ＦＲ（Ｎ）が表されることになる。
【００８１】
また、（Ｎ＋１）フレームのフレーム周期における２番目の読出画像データは第１フィールドの読出画像データＦＩ１（Ｎ＋１）であり、３番目の読出画像データは第２フィールドの読出画像データＦＩ２（Ｎ）であるので、これら２つのフィールド画像データに対応する第１の駆動画像データＤＦＩ１（Ｎ＋１）および第２の駆動画像データＤＦＩ２（Ｎ＋１）により、（Ｎ＋１）フレームのフレーム画像ＦＲ（Ｎ＋１）が表されることになる。
【００８２】
そして、Ｎフレームのフレーム周期における３番目の読出画像データは第１フィールドの読出画像データＦＩ１（Ｎ）であり、（Ｎ＋１）フレームのフレーム周期における１番目の読出画像データは第２フィールドの読出画像データＦＩ２（Ｎ＋１）であるので、これら２つのフィールド画像データに対応する第１の駆動画像データＤＦＩ１（Ｎ）および第２の駆動画像データＤＦＩ２（Ｎ＋１）より、人間の視覚上の特性を利用して、Ｎフレームと（Ｎ＋１）フレームとの間を実効的に補間する１つの補間フレーム画像が表されることになる。この補間フレーム画像により、Ｎフレームから（Ｎ＋１）フレームに画像が急激に変化することによって発生する、画像変化の非連続性によるフリッカ等の種々の画質劣化を抑制することができる。
【００８３】
なお、本駆動画像データの変形例は、実施例の駆動画像データの変形例として説明したが、駆動画像データの変形例１ないし変形例５に適用することも可能である。
【００８４】
Ｂ．変形例：
なお、この発明は上記の実施例や実施形態に限られるものではなく、その要旨を逸脱しない範囲において種々の態様において実施することが可能である。
【００８５】
Ｂ１．変形例１：
上記実施例では、マスクデータが表す画素値として、対応する読出画像データと、動き量に応じて決定されたマスクパラメータとを演算することによって求められた画素値とする場合を例に説明しているが、例えば、黒色や灰色等の、あらかじめ決められている所定の色の画像を表す画素値をマスクデータとして用いることも可能である。
【００８６】
Ｂ２．変形例２：
上記実施例および駆動画像データの変形例においては、あらかじめ決められているパターンに従って読出画像データをマスクデータに置き換えて駆動画像データを生成することを前提として説明したが、これに限定されるものではない。動き量検出部６２（図２）で検出された動きの方位および動き量に応じて、実施例の駆動画像データや変形例１〜５の駆動画像データに対応するパターンの中からいずれか一つを選択して駆動画像データを生成するようにしてもよい。例えば、水平方向の動きベクトル（水平ベクトル）が垂直方向の動きベクトル（垂直ベクトル）よりも大きい場合には、駆動画像データの変形例２ないし変形例５のうちのいずれかを選択し、垂直ベクトルが水平ベクトルよりも大きい場合には、実施例の駆動画像データと、駆動画像データの変形例１と、駆動画像データの変形例２のうちのいずれかを選択し、垂直ベクトルと水平ベクトルが等しい場合には、駆動画像データの変形例４および変形例５のうちのいずれかを選択することが考えられる。
【００８７】
なお、この選択は、駆動画像データ生成制御部５１０が、動き量検出部６２で検出された動きベクトルに基づいて実行することができる。あるいは、ＣＰＵ８０が動き量検出部６２で検出された動きベクトルに基づいて実行し、対応する制御情報を駆動画像データ生成制御部５１０に供給するようにしてもよい。
【００８８】
Ｂ３．変形例３：
上記実施例の駆動画像データ生成部５０では、フレームメモリ２０から読み出された読出画像データ信号ＲＶＤＳを順次第１のラッチ部５２０でラッチする構成としているが、第１のラッチ部５２０の前段に新たなフレームメモリを備える構成として、読出画像データ信号ＲＶＤＳを一旦、新たなフレームメモリに書き込み、新たなフレームメモリから出力される新たな読出画像データ信号を第１のラッチ部５２０で順次ラッチするようにしてもよい。この場合、動き領域検出部６０に入力される画像データ信号としては、新たなフレームメモリに書き込まれる画像データ信号および新たなフレームメモリから読み出される画像データ信号とすればよい。
【００８９】
Ｂ４．変形例４：
上記実施例では、マスクデータの生成を読出画像データの各画素について実行する場合を例に説明しているが、置き換えを実行する画素についてのみマスクデータの生成を実行する構成としてもよい。ようするに、置き換えを実行する画素に対応するマスクデータを生成することができ、マスクデータの置き換えを実行することができれば、どのような構成であってもよい。
【００９０】
Ｂ５．変形例５：
また、上記実施例では、液晶パネルを適用したプロジェクタを例に説明しているが、プロジェクタではなく直視型の表示装置にも適用可能である。また、液晶パネルの他にＰＤＰ（Plasma Display Panel）やＥＬＤ（Electro Luminescence Display）等の種々の画像表示デバイスを適用することも可能である。また、ＤＭＤ（Digital Micromirror Device，ＴＩ(Texas Instruments)社の商標）を用いたプロジェクタに適用することも可能である。
【００９１】
Ｂ６．変形例６：
上記実施例では、駆動画像データを生成するための、メモリ書込制御部、メモリ読出制御部、駆動画像データ生成部、動き量検出部の各ブロックをハードウェアにより構築した場合を例に説明しているが、少なくとも一部のブロックをＣＰＵがコンピュータプログラムを読み出して実行することによって実現するように、ソフトウェアにより構築するようにしてもよい。
【図面の簡単な説明】
【００９２】
【図１】この発明の一実施例としての画像データ処理装置を適用した画像表示装置の構成を示すブロック図である。
【図２】動き領域検出部６０の構成の一例を示す概略ブロック図である。
【図３】マスクパラメータ決定部６６に格納されているテーブルデータについて示す説明図である。
【図４】駆動画像データ生成部５０の構成の一例を示す概略ブロック図である。
【図５】マスクデータ生成部５３０の構成の一例を示す概略ブロック図である。
【図６】生成される駆動画像データについて示す説明図である。
【図７】Ｎフレームのフレーム画像データＦＲ（Ｎ）に対して生成される第１の駆動画像データＤＦＩ１（Ｎ）および第２の駆動画像データＤＦＩ２（Ｎ）中の動き領域を拡大して示す説明図である。
【図８】（Ｎ＋１）フレームのフレーム画像データＦＲ（Ｎ＋１）に対して生成される第１の駆動画像データＤＦＩ１（Ｎ＋１）および第２の駆動画像データＤＦＩ２（Ｎ＋１）中の動き領域を拡大して示す説明図である。
【図９】生成される駆動画像データの第２の変形例について示す説明図である。
【図１０】生成される駆動画像データの第４の変形例について示す説明図である。
【図１１】生成される駆動画像データの第６の変形例について示す説明図である。
【符号の説明】
【００９３】
１０...信号変換部
２０...フレームメモリ
３０...メモリ書込制御部
４０...メモリ読出制御部
５０...駆動画像データ生成部
５１０...駆動画像データ生成制御部
５２０...第１のラッチ部
５３０...マスクデータ生成部
５３２...演算部
５３４...演算選択部
５３６...マスクパラメータ記憶部
５４０...第２のラッチ部
５５０...マルチプレクサ
６０...動き領域検出部
６２...動き量検出部
６４...動き領域決定部
６６...マスクパラメータ決定部
７０...液晶パネル駆動部
８０...ＣＰＵ
９０...メモリ
１００...液晶パネル
１１０...光源ユニット
１２０...投写光学系
【図１】
2006133384.tif 000003
【図２】
2006133384.tif 000004
【図３】
2006133384.tif 000005
【図４】
2006133384.tif 000006
【図５】
2006133384.tif 000007
【図６】
2006133384.tif 000008
【図７】
2006133384.tif 000009
【図８】
2006133384.tif 000010
【図９】
2006133384.tif 000011
【図１０】
2006133384.tif 000012
【図１１】
2006133384.tif 000013